(57)【要約】      （修正有）【課題】作業車などの出入りに際して、除雪作業の軽減を図ることができる畜舎を提供する。【解決手段】扉２１を、下ドア２２と上ドア２３で構成する。下ドア２２を電動チェーンブロック３０で引き上げる。上ドア２３はストッパ片３３で所定の高さに止まっている。下ドア２２が上がると、張り出し３４に掛かる。以降、下ドア２２と上ドア２３が一緒に上がる。本考案では扉２１を上下に移動するため、下ドア２２に雪が溜まっても、雪の山が小さければ除雪することなく、下ドア２２を上げることができる。【選択図】図４
0003193062.tif 000002
【実用新案登録請求の範囲】
【請求項１】
作業者、作業車及び家畜が出入りする際に開閉する扉を備え、前記扉の周りに雪が溜まるような寒冷地に建てられる畜舎であって、
前記扉は、垂直に配置される左右一対のレールと、これらのレールで案内される扉本体と、この扉本体を引き上げる引き上げ機構とからなることを特徴とする畜舎。
【請求項２】
前記引き上げ機構は、チェーンと、このチェーンを掛けるチェーンシーブと、このチェーンシーブを回転させる電動モータと、前記チェーンシーブを制動するブレーキとを備える電動チェーンブロックであることを特徴とする請求項１記載の畜舎。
【請求項３】
前記レールは、第１溝と第２溝を有する二条レールであり、
前記扉本体は、前記第１溝で案内される共に前記引き上げ機構で引き上げられる下ドアと、前記第２溝で案内されると共に前記下ドアで押し上げられる上ドアとからなり、
前記第２溝に、前記上ドアの下限位置を決めるストッパ片が付設され、
前記上ドアの上縁に、上昇する前記下ドアの上縁に引っ掛かる張り出しを付設したことを特徴とする請求項１又は請求項２記載の畜舎。
【請求項４】
前記レールは、第１溝と第２溝と第３溝を有する三条レールであり、
前記扉本体は、前記第１溝で案内される共に前記引き上げ機構で引き上げられる下ドアと、前記第２溝で案内されると共に前記下ドアで押し上げられる中ドアと、前記第３溝で案内されると共に前記中ドアで押し上げられる上ドアとからなり、
前記第２溝に、前記中ドアの下限位置を決める中ストッパ片が付設され、
前記中ドアの上縁に、上昇する前記下ドアの上縁に引っ掛かる中張り出しを付設し、
前記第３溝に、前記上ドアの下限位置を決める上ストッパ片が付設され、
前記上ドアの上縁に、上昇する前記中ドアの上縁に引っ掛かる上張り出しを付設したことを特徴とする請求項１又は請求項２記載の畜舎。
【請求項５】
前記第２溝は、前記第１溝より舎外側に配置されていることを特徴とする請求項３又は請求項４記載の畜舎。
【考案の詳細な説明】
【技術分野】
【０００１】
本考案は、開閉する扉を備え、扉の周りに雪が溜まるような寒冷地に建てられる畜舎に関する。
【背景技術】
【０００２】
寒冷地においては、乳牛は、牛舎で飼育される。牛舎の構造は種々知られている（例えば、特許文献１（図１、図３）参照。）。
【０００３】
特許文献１を次図に基づいて説明する。
図９は従来の牛舎の平面図であり、中央に作業用通路１０１が設けられ、この作業用通路１０１の両側に飼育スペース１０２、１０３が設けられている。乳牛は、毎日朝夕の２回搾乳される。
そのときには、乳牛は連絡通路１０４を通って、隣の搾乳舎１０５へ導かれる。搾乳中に、飼育スペース１０２、１０３を掃除することができる。
【０００４】
牛舎の壁には、作業用通路１０１に面して横引き扉１０６〜１０８が設けられている（特許文献１段落番号［００２２］第５行）。
図１０（ａ）に示すように、中央の扉１０７の両側に扉１０６、１０８が配置される。
中央の扉１０７を右に引くことで、図１０（ｂ）に示すように、中央開口１０９を確保することができる。
図１０（ａ）で左の扉１０６を右に引くことで、図１０（ｃ）に示すように、左開口１１１を確保することができる。
【０００５】
このように、牛舎などの畜舎では、横引き扉が好んで設けられる。
ところで、雪が降る寒冷地では、図１１（ａ）に示すように、横引き扉１０６〜１０８の周りに雪１１３、１１４が溜まる。二重斜線で示す除雪領域１１５、１１６の雪を除去した後に、中央の扉１０７が横移動可能となる。
この除雪作業が、作業者の負担を増す。
作業者は、家畜の監理に多大の労働を強いられるため、作業量の増加は好ましくない。
【先行技術文献】
【特許文献】
【０００６】
【特許文献１】実用新案登録第３１２７４２３号公報
【考案の概要】
【考案が解決しようとする課題】
【０００７】
本考案は、除雪作業の軽減を図ることができる畜舎を提供することを課題とする。
【課題を解決するための手段】
【０００８】
請求項１に係る考案は、作業者、作業車及び家畜が出入りする際に開閉する扉を備え、前記扉の周りに雪が溜まるような寒冷地に建てられる畜舎であって、
前記扉は、垂直に配置される左右一対のレールと、これらのレールで案内される扉本体と、この扉本体を引き上げる引き上げ機構とからなることを特徴とする。
【０００９】
請求項２に係る考案では、引き上げ機構は、チェーンと、このチェーンを掛けるチェーンシーブと、このチェーンシーブを回転させる電動モータと、チェーンシーブを制動するブレーキとを備える電動チェーンブロックであることを特徴とする。
【００１０】
請求項３に係る考案では、レールは、第１溝と第２溝を有する二条レールであり、扉本体は、第１溝で案内される共に引き上げ機構で引き上げられる下ドアと、第２溝で案内されると共に下ドアで押し上げられる上ドアとからなり、第２溝に、上ドアの下限位置を決めるストッパ片が付設され、上ドアの上縁に、上昇する下ドアの上縁に引っ掛かる張り出しを付設したことを特徴とする。
【００１１】
請求項４に係る考案では、レールは、第１溝と第２溝と第３溝を有する三条レールであり、扉本体は、第１溝で案内される共に引き上げ機構で引き上げられる下ドアと、第２溝で案内されると共に下ドアで押し上げられる中ドアと、第３溝で案内されると共に中ドアで押し上げられる上ドアとからなり、第２溝に、中ドアの下限位置を決める中ストッパ片が付設され、中ドアの上縁に、上昇する下ドアの上縁に引っ掛かる中張り出しを付設し、第３溝に、上ドアの下限位置を決める上ストッパ片が付設され、上ドアの上縁に、上昇する中ドアの上縁に引っ掛かる上張り出しを付設したことを特徴とする。
【００１２】
請求項５に係る考案では、第２溝は、第１溝より舎外側に配置されていることを特徴とする。
【考案の効果】
【００１３】
請求項１に係る考案は、扉の周りに雪が溜まるような寒冷地に建てられる畜舎において、扉本外を上下に移動するようにした。扉本体の周りに雪が溜まっても、扉本体を上昇させることで扉を開放することができる。除雪するにしても除雪量は最小限度で済ませることができる。結果、除雪作業の軽減を図ることができる畜舎が提供される。
【００１４】
請求項２に係る考案では、引き上げ機構は、電動チェーンブロックである。電動チェーンブロックは汎用品であり、安価で容易に入手できる。引き上げ機構が故障や破損した場合に、新品と交換すればよく、畜舎の維持管理が容易となる。
【００１５】
請求項３に係る考案では、扉本体を下ドアと上ドアで構成した。収納高さが扉本体の約半分の高さになる。扉本体の上方にて、建屋に窓を設ける場合、この窓が扉本体で塞がれる心配がない。
【００１６】
請求項４に係る考案では、扉本体を下ドアと中ドアと上ドアで構成した。収納高さが扉本体の約１／３分の高さになる。扉本体の上方にて、建屋に窓を設ける場合、この窓が扉本体で塞がれる心配がない。
【００１７】
請求項５に係る考案では、第２溝は、第１溝より舎外側に配置されている。第１溝で下ドアが案内され、この下ドアが引き上げ機構で引き上げられる。引き上げ機構から下ドアまで延びるチェーンやワイヤが上ドアよりも舎内に置かれ、上ドアで護られるためチェーン又はワイヤに雪や氷が着く心配がない。
【図面の簡単な説明】
【００１８】
【図１】扉が開放されているときの、本考案に係る畜舎の要部正面図である。
【図２】扉が閉じられているときの、本考案に係る畜舎の要部正面図である。
【図３】図２の３ａ−３ａ線断面図及び３ｂ−３ｂ線断面図である。
【図４】本考案に係る畜舎の要部縦断面図である。
【図５】引き上げ機構の構成図である。
【図６】扉本体の斜視図である。
【図７】扉の作用説明図である。
【図８】本考案に係る別の畜舎の要部縦断面図である。
【図９】従来の牛舎の平面図である。
【図１０】図９の１０矢視図である。
【図１１】雪と扉の関係を説明する平面図である。
【考案を実施するための形態】
【００１９】
本考案の実施の形態を添付図に基づいて以下に説明する。なお、図面は符号の向きに見るものとする。
【実施例】
【００２０】
本考案に係る畜舎で飼育する家畜は、牛、馬、綿羊、羊、その他の動物であれば、種類は問わない。
【００２１】
図１に示すように、畜舎１０の正面壁１１に、大きな開口１２が開けられている。この開口１２の上方で且つ正面壁１１の背後に、収納状態の扉本体２１が在る。さらに、この扉本体２１の上方で且つ正面壁１１に、横長の換気用窓１３が設けられている。
【００２２】
図１０で説明した従来の横引き扉では、一部の扉が常に開口を塞いでいるため、開口の大きさに限度がある。この点、本考案によれば、図１に示すように、十分に大きな開口１２が得られる。
【００２３】
図２に示すように、開口１２は、扉本体２１で塞がれている。この例では、扉本体２１は、高さ寸法が約半分の下ドア２２と上ドア２３とからなる。
【００２４】
図３（ａ）に示すように、建屋の柱１４、１４に各々二条レール２４、２４が固定されている。二条レール２４は、舎内側の第１溝２５と舎外側の第２溝２６を有する。第２溝２６に上ドア２３が嵌っている。
図３（ｂ）に示すように、第１溝２５に下ドア２２が嵌っている。
【００２５】
図４に示すように、建屋の天井の梁１５に引き上げ機構３０が吊されており、この引き上げ機構３０から延びるチェーン３１が、下ドア２２を吊るワイヤ３２に繋がれている。
すなわち、扉２０は、上下ドア２２、２３からなる扉本体２１と、引き上げ機構３０とからなる。
【００２６】
上ドア２３は、下ドア２２の上縁より少し下に設けられたストッパ片３３に載っており、これ以下には下がらない。
ストッパ片３３は、図３（ａ）、（ｂ）で説明したレール２４の第２溝２６を塞ぐようにレール２４から水平に延びている。図１に示すように、ストッパ片３３、３３は左右に各１個設けられる。
【００２７】
図５に示すように、ストッパ片３３に載っている上ドア２３の上縁に、鉤形の張り出し３４、３４が舎内側へ延びるように設けられている。ワイヤ３２とチェーン３１で吊られた下ドア２２が上昇すると、この下ドア２２の上縁が張り出し３４、３４に当たる。以降は、下ドア２２で上ドア２３が押し上げられる。
【００２８】
図６に示すように、引き上げ機構３０は、チューン３１と、このチューン３１を掛けるチェーンシーブ３５と、このチェーンシーブ３５を回転させる電動モータ３６と、チェーンシーブ３５を制動する電磁ブレーキ３７及び機械式ブレーキ３８と、スイッチボックス３９を備える電動チェーンブロックが好適である。
【００２９】
電動チェーンブロックは汎用品であり、安価で容易に入手できる。故障や破損した場合に、新品と交換すればよく、容易に復旧ができる。
なお、引き上げ機構３０は、電動チェーンブロックの他、手動チェーンブロック、チューンをワイヤに代えた電動ウインチであってもよく、種類は任意である。
【００３０】
図７（ａ）に示すように、閉じているときに、下ドア２２に雪４１が積もることがある。
少々の雪４１であれば、除雪することなく、下ドア２２を上げることができる。すると、図７（ｂ）に示すように、雪４１の山が一部崩壊する。そこで、二重斜線（××）を施した部位４２を除雪する。
図７（ｃ）では、下ドア２２と上ドア２３が全開位置にある。この状態から下ドア２２を下げると、しばらくは上ドア２３が一緒に下がる。上ドア２３がストッパ片３３に当たると、上ドア２３はその位置に留まる。下ドア２２だけが下がる。下ドア２２は雪４１の脇に到達する。結果、図７（ａ）の形態に戻る。
【００３１】
よって、本考案の下ドア２２と上ドア２３は、雪４１に強く、除雪するにしても最小限の除雪量で済ませることができる。
また、横に引く扉より、本考案の扉２０は、氷結にも強い。すなわち、横に引く扉は、建屋開口の下辺又は上辺に付設した水平レールに沿って移動させるが、水平レールには雪が溜まり、この雪が氷となり、横引き扉の移動を阻害する。この点、本考案ではレール２４は鉛直であるため、雪や水が溜まることはなく、氷結の心配がない。
【００３２】
加えて、図７（ａ）に示すように、チェーン３１やワイヤ３２は上ドア２３と正面壁１１で外界から保護されているため、チェーン３１やワイヤ３２に雪が付く心配はない
【００３３】
図４では、扉本体２１を下ドア２２と上ドア２３で構成したが、扉本体２１は一枚ドアであってもよい。ただし、一枚ドアの場合は、換気用窓１３の配置が難しくなるか、又は、換気用窓１３が塞がれる。
【００３４】
扉本体２１を３枚以上のドアで構成することは差し支えない。
３枚のドアで構成する例を次に説明する。
図８に示すように、舎内側の第１溝２５と第２溝２６と舎外側の第３溝２７を備える三条レール２８を使用する。
第１溝２５に下ドア２２を嵌め、第２溝２６に中ドア２９を嵌め、第３溝２７に上ドア２３を嵌める。第２溝２６に中ストッパ片４３を設け、第３溝２７に上ストッパ片４４を設ける。加えて、中ドア２９の上縁に中張り出し４５を設け、上ドア２３の上縁に上張り出し４６を設ける。
【００３５】
引き上げ機構３０で下ドア２２を上げると、この下ドア２２は中張り出し４５に当たる。以降、下ドア２２と一緒に中ドア２９が上がる。この中ドア２９は上張り出し４６に当たる。以降、下ドア２２と中ドア２９と上ドアが一緒に上がる。換気用窓１３を大きくすることができる。
また、三枚ドアであれば、低い建屋（畜舎１０）に大きな開口１２を設けることができる。
【産業上の利用可能性】
【００３６】
本考案は、寒冷地に建てられる畜舎に好適である。
【符号の説明】
【００３７】
１０…畜舎、２０…扉、２１…扉本体、２２…下ドア、２３…上ドア、２４…レール（二条レール）、２５…第１溝、２６…第２溝、２７…第３溝、２８…レール（三条レール）、２９…中ドア、３０…引き上げ機構（電動チェーンブロック）、３１…チェーン、３３…ストッパ片、３４…張り出し、３５…チェーンシーブ、３６…電動モータ、３７…電磁ブレーキ、３８…機械式ブレーキ、４３…中ストッパ片、４４…上ストッパ片、４５…中張り出し、４６…上張り出し。
【図１】
0003193062.tif 000003
【図２】
0003193062.tif 000004
【図３】
0003193062.tif 000005
【図４】
0003193062.tif 000006
【図５】
0003193062.tif 000007
【図６】
0003193062.tif 000008
【図７】
0003193062.tif 000009
【図８】
0003193062.tif 000010
【図９】
0003193062.tif 000011
【図１０】
0003193062.tif 000012
【図１１】
0003193062.tif 000013